【手続補正書】
【提出日】平成28年4月19日(2016.4.19)
【手続補正１】
【補正対象書類名】特許請求の範囲
【補正対象項目名】全文
【補正方法】変更
【補正の内容】
【特許請求の範囲】
【請求項１】
データ配信装置から通信ネットワークを介してユーザ端末に対してデータを配信するデータ配信方法であって、
前記データ配信装置のデータ配信手段が、前記ユーザ端末に対してデータを配信するステップと、
前記データ配信装置の特定情報保存手段が、前記ユーザ端末のユーザが過去に接した過去データを特定するための特定情報を保存するステップと、
前記データ配信装置のデータ探知手段が、前記配信されたデータに対する前記ユーザ端末からの所定の指示に応じて、当該ユーザが接した過去データのうち、当該所定の指示を受けたデータと類似するデータを探知するステップと、
前記データ配信装置の送信手段が、前記探知されたデータを当該ユーザ端末へ送信するステップと
を備えたデータ配信方法。
【請求項２】
前記データ配信装置の特徴ベクトル生成手段が、前記ユーザ端末に配信されるデータについて、各データの特徴を表すデータ特徴ベクトルを生成するステップをさらに備え、
前記探知するステップでは、前記データ探知手段が、
当該データのデータ特徴ベクトルと前記過去データのデータ特徴ベクトルとを対比することにより、対比するデータ同士の類似度を求め、この求められた類似度に基づいて前記過去データの中から類似度の高い１または複数のデータを特定する
請求項１に記載のデータ配信方法。
【請求項３】
前記類似度を求めるステップでは、前記配信されたデータのデータ特徴ベクトルと前記過去データのデータ特徴ベクトルとを対比し、両特徴ベクトルにおける相関係数を類似度として求める請求項２に記載のデータ配信方法。
【請求項４】
前記データ特徴ベクトルを、その特徴を拡張した連想ベクトルに変換するステップをさらに備え、前記探知するステップでは、前記連想ベクトルを前記過去データのデータ特徴ベクトルと対比する請求項２に記載のデータ配信方法。
【請求項５】
前記探知するステップは、前記所定の指示に応じてリアルタイムで実行される請求項１〜４のいずれかに記載のデータ配信方法。
【請求項６】
前記探知するステップは、前記データを配信する際に配信対象の各データについて前もって実行しておく請求項１〜４のいずれかに記載のデータ配信方法。
【請求項７】
前記配信するステップにおいて、前記前もって実行した探知するステップにより得られた過去データを、前記ユーザ端末において初期的に非表示となり、前記所定の指示により表示されるように配信データに埋め込んだ形態で、配信データを配信する請求項６に記載のデータ配信方法。
【請求項８】
前記「ユーザが過去に接した記事」は、ユーザが過去に読んだ記事の他、ユーザが関心を示す意思表示を表すユーザ操作を行った記事、過去に配信を受けた記事、の少なくとも１つである請求項１に記載のデータ配信方法。
【請求項９】
前記データ配信装置の管理手段が、ユーザが外部ストレージサービスを利用して保存したデータを前記ユーザが過去に接したデータとして管理するステップをさらに備えた請求項１〜８のいずれかに記載のデータ配信方法。
【請求項１０】
前記探知されたデータが前記ユーザ端末へ送信された後に、当該ユーザ端末から当該所定の指示を受けたデータと同じデータについて再度の所定の指示を受けたとき、前記データ配信装置のデータ探知手段が、当該ユーザが接した過去データのうち、探知のためのアルゴリズムを変更して、再度、当該所定の指示を受けたデータと類似するデータを探知するステップと、
前記データ配信装置の送信手段が、前記探知されたデータを再度当該ユーザ端末へ送信するステップと
をさらに備えた請求項１〜９のいずれかに記載のデータ配信方法。
【請求項１１】
通信ネットワークを介してユーザ端末に対してデータを配信するデータ配信装置であって、
前記ユーザ端末に対して配信するデータを配信生成する配信データ配信生成手段と、
前記ユーザ端末のユーザが過去に接した過去データを特定するための特定情報を保存する特定情報過去データ保存手段と、
前記配信されたデータに対する前記ユーザ端末からの所定の指示に応じて、当該ユーザが接した過去データのうち、当該所定の指示を受けたデータと類似するデータを探知するデータ探知手段と、
前記探知されたデータを当該ユーザ端末へ送信する送信手段と
を備えることを特徴とするデータ配信装置。
【請求項１２】
データ配信装置から通信ネットワークを介してユーザ端末に対してデータを配信するデータ配信方法をコンピュータに実行させるコンピュータプログラムであって、
前記データ配信装置のデータ配信手段が、前記ユーザ端末に対してデータを配信するステップと、
前記データ配信装置の特定情報保存手段が、前記ユーザ端末のユーザが過去に接した過去データを特定するための特定情報を保存するステップと、
前記データ配信装置のデータ探知手段が、前記配信されたデータに対する前記ユーザ端末からの所定の指示に応じて、当該ユーザが接した過去データのうち、当該所定の指示を受けたデータと類似するデータを探知するステップと、
前記データ配信装置の送信手段が、前記探知されたデータを当該ユーザ端末へ送信するステップと
をコンピュータに実行させるコンピュータプログラム。
【請求項１３】
請求項１２に記載のコンピュータプログラムをコンピュータ読み取り可能に記録した記録媒体。
【手続補正２】
【補正対象書類名】明細書
【補正対象項目名】００１０
【補正方法】変更
【補正の内容】
【００１０】
本発明によるデータ配信方法は、データ配信装置から通信ネットワークを介してユーザ端末に対してデータを配信するデータ配信方法であって、前記データ配信装置のデータ配信手段が、前記ユーザ端末に対してデータを配信するステップと、前記データ配信装置の特定情報保存手段が、前記ユーザ端末のユーザが過去に接した過去データを特定するための特定情報を保存するステップと、前記データ配信装置のデータ探知手段が、前記配信されたデータに対する前記ユーザ端末からの所定の指示に応じて、当該ユーザが接した過去データのうち、当該所定の指示を受けたデータと類似するデータを探知するステップと、前記データ配信装置の送信手段が、前記探知されたデータを当該ユーザ端末へ送信するステップとを備えたことを特徴とする。
【手続補正３】
【補正対象書類名】明細書
【補正対象項目名】００１２
【補正方法】変更
【補正の内容】
【００１２】
そのために例えば、前記データ配信装置の特徴ベクトル生成手段が、前記ユーザ端末に配信されるデータについて、各データの特徴を表すデータ特徴ベクトルを生成するステップをさらに備え、前記探知するステップでは、前記データ探知手段が当該データのデータ特徴ベクトルと前記過去データのデータ特徴ベクトルとを対比することにより、対比するデータ同士の類似度を求め、この求められた類似度に基づいて前記過去データの中から類似度の高い１または複数のデータを特定する。
【手続補正４】
【補正対象書類名】明細書
【補正対象項目名】００１８
【補正方法】変更
【補正の内容】
【００１８】
前記データ配信装置の管理手段が、ユーザが外部ストレージサービスを利用して保存したデータを前記ユーザが過去に接したデータとして管理するステップをさらに備えてもよい。これにより、データ配信サービスの対象となるデータの範囲を拡張することができる。
【手続補正５】
【補正対象書類名】明細書
【補正対象項目名】００１９
【補正方法】変更
【補正の内容】
【００１９】
本発明によるデータ配信装置は、通信ネットワークを介してユーザ端末に対してデータを配信するデータ配信装置であって、前記ユーザ端末に対して配信するデータを配信生成する配信データ配信生成手段と、前記ユーザ端末のユーザが過去に接した過去データを特定するための特定情報を保存する特定情報過去データ保存手段と、前記配信されたデータに対する前記ユーザ端末からの所定の指示に応じて、当該ユーザが接した過去データのうち、当該所定の指示を受けたデータと類似するデータを探知するデータ探知手段と、前記探知されたデータを当該ユーザ端末へ送信する送信手段とを備えることを特徴とする。
【手続補正６】
【補正対象書類名】明細書
【補正対象項目名】００２０
【補正方法】変更
【補正の内容】
【００２０】
本発明によるコンピュータプログラムは、データ配信装置から通信ネットワークを介してユーザ端末に対してデータを配信するデータ配信方法をコンピュータに実行させるコンピュータプログラムであって、前記データ配信装置のデータ配信手段が、前記ユーザ端末に対してデータを配信するステップと、前記データ配信装置の特定情報保存手段が、前記ユーザ端末のユーザが過去に接した過去データを特定するための特定情報を保存するステップと、前記データ配信装置のデータ探知手段が、前記配信されたデータに対する前記ユーザ端末からの所定の指示に応じて、当該ユーザが接した過去データのうち、当該所定の指示を受けたデータと類似するデータを探知するステップと、前記データ配信装置の送信手段が、前記探知されたデータを当該ユーザ端末へ送信するステップとをコンピュータに実行させるコンピュータプログラムである。